(57)【要約】【課題】搭載レイアウトを共通化すると共にエアタンクの本数を容易に増減し得るバッテリ及びエアタンクの取付構造を提供する。【解決手段】車両のシャシフレーム１に取付けられる支持部１３と、支持部１３に載置されるバッテリ７と、シャシフレーム１の延在方向に沿ってバッテリ７を両側から挟み込むよう支持部１３の両側に配置される二本のエアタンク１０とを備え、エアタンク１０の必要数に応じて支持部１３の下部に一本以上の他のエアタンク１０を追加し得るよう構成する。このような構成により、エアタンク１０の本数を容易に増減すると共に車両の構成や種類が変更した場合であっても、同じ支持部１３を使用し得るので、搭載レイアウトを共通化し、製造コストを低減することができる。【選択図】　　　　図１
2004058893.tif 000002
【特許請求の範囲】
【請求項１】
車両のシャシフレームに取付けられる支持部と、該支持部に載置されるバッテリと、前記シャシフレームの延在方向に沿ってバッテリを両側から挟み込むよう支持部の両側に配置される二本のエアタンクとを備え、
前記エアタンクの必要数に応じて支持部の下部に一本以上の他のエアタンクを追加し得るよう構成したことを特徴とするバッテリ及びエアタンクの取付構造。
【請求項２】
支持部に追加部材を備えると共に追加部材に他のエアタンクを懸架することにより、エアタンクの必要数に応じて、支持部の側部に備えられたエアタンクの下方に他のエアタンクを追加して配置し得るよう構成した請求項１記載のバッテリ及びエアタンクの取付構造。
【請求項３】
電装品ボックスをバッテリに隣接するよう支持部に配置し、前記バッテリ及び電装品ボックスが外部へ面するよう構成した請求項１又は２記載のバッテリ及びエアタンクの取付構造。
【発明の詳細な説明】
【０００１】
【発明の属する技術分野】
本発明は、シャシフレームに組み付けるバッテリ及びエアタンクの取付構造に関するものである。
【０００２】
【従来の技術】
一般に、車両には、図７に示す如く、車両長手方向に沿って車両前方より所定長さで平行な左右一対のシャシフレーム１を備えており、シャシフレーム１の車両進行方向右側には、図８に示す如く、シャシフレーム１の側面より外方に向かって延在する二本のフレーム部材２と、フレーム部材２の間に設置される載置板３とから構成される支持部４を設けている。ここで、図７中、５はキャブ、６はタイヤを示している。
【０００３】
支持部４の載置板３の上面には、シャシフレーム１の延在方向に沿って複数個（図８では二個）のバッテリ７を載置すると共に、バッテリ７の外方側には、リレー及びヒューズ等の電装品ボックス８を配置している。
【０００４】
一方、シャシフレーム１における支持部４の隣接位置には、複数本（図８では二本）のバンド部材９を備え、エアタンク１０にバンド部材９を巻き付けることにより三本のエアタンク１０をまとめて配置している。ここで、三本のエアタンク１０の向きは、エアタンク１０の長手方向が夫々シャシフレーム１の延在方向に沿うよう、上方に二本、下方に一本で配置されており、夫々のバルブ等は車両の所定場所に夫々設置されている。
【０００５】
【発明が解決しようとする課題】
しかしながら、シャシフレーム１に組み付けるエアタンク１０の本数は三本に限定されるため、車両の構成や種類に対応してエアタンク１０の本数を増減することができないという問題があった。又、車両の構成や種類によってエアタンク１０の組み付けの状態が変わるため、夫々のエアタンクの搭載レイアウトが異なり、製造コストが増加するという問題があった。
【０００６】
本発明は上述の実情に鑑みてなしたもので、搭載レイアウトを共通化すると共にエアタンクの本数を容易に増減し得るバッテリ及びエアタンクの取付構造を提供することを目的としている。
【０００７】
【課題を解決するための手段】
本発明の請求項１は、車両のシャシフレームに取付けられる支持部と、該支持部に載置されるバッテリと、前記シャシフレームの延在方向に沿ってバッテリを両側から挟み込むよう支持部の両側に配置される二本のエアタンクとを備え、
前記エアタンクの必要数に応じて支持部の下部に少なくとも一本以上の他のエアタンクを追加し得るよう構成したことを特徴とするバッテリ及びエアタンクの取付構造に係るものである。
【０００８】
本発明の請求項２は、支持部に追加部材を備えると共に追加部材に他のエアタンクを懸架することにより、エアタンクの必要数に応じて、支持部の側部に備えられたエアタンクの下方に他のエアタンクを追加して配置し得るよう構成した請求項１記載のバッテリ及びエアタンクの取付構造に係るものである。
【０００９】
本発明の請求項３は、電装品ボックスをバッテリに隣接するよう支持部に配置し、前記バッテリ及び電装品ボックスが外部へ面するよう構成した請求項１又は２記載のバッテリ及びエアタンクの取付構造に係るものである。
【００１０】
このように、本発明の請求項１によれば、支持部の両側部に備えられた二本のエアタンクと共に、支持部の下部に一本以上の他のエアタンクを追加し得るので、エアタンクを二本以上で増減し得るよう、エアタンクの本数を容易に増減することができる。又、エアタンクの本数を変更すると共に車両の構成や種類が変更した場合であっても、同じ支持部を使用し得るので、搭載レイアウトを共通化し、製造コストを低減することができる。
【００１１】
本発明の請求項２の如く、支持部に追加部材を備えると共に追加部材に他のエアタンクを懸架することにより、エアタンクの必要数に応じて、支持部の側部に備えられたエアタンクの下方に他のエアタンクを追加して配置し得るよう構成すると、エアタンクを更に追加して配置し得るので、エアタンクの本数を更に増加可能にすると共に一層容易に増減することができる。
【００１２】
本発明の請求項３の如く、電装品ボックスをバッテリに隣接するよう支持部に配置し、前記バッテリ及び電装品ボックスが外部へ面するよう構成すると、バッテリ及び電装品ボックスを取り外す際に夫々を外方へ容易に引き出し得るので、バッテリ及び電装品ボックスの点検及び整備を迅速に行うことができる。
【００１３】
【発明の実施の形態】
以下、本発明の実施の形態を図面を参照しつつ説明する。
【００１４】
図１〜図６は本発明を実施する形態例を示すもので、図７、図８と同一の符号を付した部分は同一物を表わしている。
【００１５】
図１〜図６に示す如く、バッテリ及びエアタンクの取付構造は、シャシフレーム１の車両進行方向右側にシャシフレーム１の側面より外方に向かって所定の間隔で延在する二本のフレーム部材１１と、フレーム部材１１の間に設置される載置板１２とから構成される支持部１３を設けている。
【００１６】
支持部１３の載置板１２の上面には、シャシフレーム１の延在方向に沿って配置される複数個（図１では二個）のバッテリ７と、バッテリ７の列に並ぶよう隣接して配置されるリレー及びヒューズ等の電装品ボックス８を備えている。ここで、バッテリ７及び電装品ボックス８は外部に面し、外方へ引き出し可能に配置されている。
【００１７】
支持部１３のフレーム部材１１には、複数本（図１では二本）のバンド部材１４を備え、エアタンク１０にバンド部材１４を巻き付けることによりフレーム部材１１の外側面に夫々エアタンク１０を係止し、二本のエアタンク１０の間にはシャシフレーム１の延在方向に沿ってバッテリ７及び電装品ボックス８を挟み込んでいる。ここで、フレーム部材２に係止したエアタンク１０の向きは、エアタンク１０の長手方向が夫々シャシフレーム１と略垂直な方向に配置されている。
【００１８】
又、支持部１３の載置板１２には、フレーム状のキャリア部材１５を備え、他のエアタンク１０にキャリア部材１５を巻き付けることにより、載置板１２の下面に一本（図１、図２）もしくは二本（図３、図４）の他のエアタンク１０を懸架している。ここで、載置板１２の下面に懸架したエアタンク１０が一本の場合のエアタンク１０の向きは、エアタンク１０の長手方向がシャシフレーム１の延在方向に沿うよう配置されており、載置板１２の下面に懸架したエアタンク１０が二本の場合のエアタンク１０の向きは、エアタンク１０の長手方向が夫々シャシフレーム１と略垂直な方向に配置されている。
【００１９】
更に、支持部１３のフレーム部材１１の下方縁部には、シャシフレーム１の延在方向に沿うよう二本の平板状の追加部材１６を、ボルトの締結部材（図示せず）を介して配置可能に構成しており、追加部材１６を配置した際には、図５、図６に示す如く、追加部材１６に備えられたバンド部材１７を他のエアタンク１０に巻き付けることにより、一本の他のエアタンク１０を懸架可能に構成している。
【００２０】
以下、本発明を実施する形態例の作用を説明する。
【００２１】
バッテリ７及びエアタンク１０をシャシフレーム１に取り付ける際には、予めエアタンク１０を備えた支持部１３をシャシフレーム１に取り付け、次に支持部１３の載置板１２にバッテリ７及び電装品ボックス８を配置する。又、バッテリ７及び電装品ボックス８を点検、整備等を行う際には、バッテリ７及び電装品ボックス８を外方へ直接引き出して点検及び整備する。
【００２２】
一方、エアタンク１０の使用構成、車両の構成や種類の変更によりエアタンク１０の本数を変更する際には、エアタンク１０の本数が二本必要な場合には、最初の搭載レイアウトを使用し、エアタンク１０の本数が三本もしくは四本必要な場合には、支持部１３の下面に他のエアタンク１０を追加して懸架し、エアタンク１０の本数が五本必要な場合には、更に追加部材１６を介して他のエアタンク１０を追加して懸架する。
【００２３】
このように、支持部１３の両側部に備えられた二本のエアタンク１０と共に、支持部１３の下部に一本もしくは二本の他のエアタンク１０を追加し得るので、エアタンク１０を二本から四本の間で増減し得るよう、エアタンク１０の本数を容易に増減することができる。又、エアタンク１０の本数を変更すると共に車両の構成や種類が変更した場合であっても、同じ支持部１３を使用し得るので、搭載レイアウトを共通化し、製造コストを低減することができる。
【００２４】
支持部１３に追加部材１６を備えると共に追加部材１６に他のエアタンク１０を懸架することにより、エアタンク１０の必要数に応じて、支持部１３の側部に備えられたエアタンク１０の下方に他のエアタンク１０を追加して配置し得るよう構成すると、エアタンク１０を更に一本追加して配置し得るので、エアタンク１０の本数を五本まで増加可能にすると共にエアタンク１０の本数を二本から五本の間で一層容易に増減することができる。
【００２５】
電装品ボックス８をバッテリ７に隣接するよう支持部１３に配置し、前記バッテリ７及び電装品ボックス８が外部へ面するよう構成すると、バッテリ７及び電装品ボックス８を取り外す際に夫々を外方へ容易に引き出し得るので、バッテリ７及び電装品ボックス８の点検及び整備を迅速に行うことができる。
【００２６】
なお、本発明のバッテリ及びエアタンクの取付構造は、上述の形態例にのみ限定されるものではなく、追加部材を支持部の両側に備えることにより他のエアタンクを両側に懸架してエアタンクの本数を二本から六本の間で変更可能にしてもよいこと、エアタンクのバルブを集めたバルブ集合部を載置板に備えてもよいこと、その他、本発明の要旨を逸脱しない範囲内において種々変更を加え得ることは勿論である。
【００２７】
【発明の効果】
以上のように、本発明のバッテリ及びエアタンクの取付構造によれば、下記の如き種々の優れた効果を奏し得る。
【００２８】
Ｉ）本発明の請求項１によれば、支持部の両側部に備えられた二本のエアタンクと共に、支持部の下部に一本以上の他のエアタンクを追加し得るので、エアタンクを二本以上で増減し得るよう、エアタンクの本数を容易に増減することができる。又、エアタンクの本数を変更すると共に車両の構成や種類が変更した場合であっても、同じ支持部を使用し得るので、搭載レイアウトを共通化し、製造コストを低減することができる。
【００２９】
ＩＩ）本発明の請求項２の如く、支持部に追加部材を備えると共に追加部材に他のエアタンクを懸架することにより、エアタンクの必要数に応じて、支持部の側部に備えられたエアタンクの下方に他のエアタンクを追加して配置し得るよう構成すると、エアタンクを更に追加して配置し得るので、エアタンクの本数を更に増加可能にすると共に一層容易に増減することができる。
【００３０】
ＩＩＩ）本発明の請求項３の如く、電装品ボックスをバッテリに隣接するよう支持部に配置し、前記バッテリ及び電装品ボックスが外部へ面するよう構成すると、バッテリ及び電装品ボックスを取り外す際に夫々を外方へ容易に引き出し得るので、バッテリ及び電装品ボックスの点検及び整備を迅速に行うことができる。
【図面の簡単な説明】
【図１】本発明のバッテリ及びエアタンクの取付構造においてエアタンクを三本備えた状態の形態例を示す概略平面図である。
【図２】図１のＩＩ−ＩＩ方向矢視図である。
【図３】本発明のバッテリ及びエアタンクの取付構造においてエアタンクを四本備えた状態の形態例を示す概略平面図である。
【図４】図３のＩＶ−ＩＶ方向矢視図である。
【図５】本発明のバッテリ及びエアタンクの取付構造においてエアタンクを五本備えた状態の形態例を示す概略平面図である。
【図６】図５のＶＩ−ＶＩ方向矢視図である。
【図７】車両のシャシフレームを示す概略図である。
【図８】従来例のバッテリ及びエアタンクの取付構造を示す概略平面図である。
【符号の説明】
１　　シャシフレーム
７　　バッテリ
８　　電装品ボックス
１０　　エアタンク
１３　　支持部
１６　　追加部材
【図１】
2004058893.tif 000003
【図２】
2004058893.tif 000004
【図３】
2004058893.tif 000005
【図４】
2004058893.tif 000006
【図５】
2004058893.tif 000007
【図６】
2004058893.tif 000008
【図７】
2004058893.tif 000009
【図８】
2004058893.tif 000010